【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
監視装置を懸架するための補助懸架装置であって、当該懸架装置は、
フック部材（２０、５０、６０、７０）と、
閉塞部材（２２、５２、６２、７２）と、
弾性部材（３０）と、を備え、
前記懸架装置は、前記フック部材（２０、５０、６０、７０）が、監視装置（４）を懸架するための懸架要素（４３）との嵌合を可能にするように配置されている開放状態と、前記閉塞部材（２２、５２、６２、７２）が、前記フック部材（２０、５０、６０、７０）からの前記懸架要素（４３）の離脱を防止するように配置されている閉鎖状態と、を取るように構成されており、
前記開放状態および前記閉鎖状態は、前記フック部材（２０、５０、６０、７０）が、前記閉塞部材（２２、５２、６２、７２）に対して移動可能であることによって可能とされ、
前記弾性部材（３０）は、前記閉鎖状態に向かって前記懸架装置を付勢するために配置されており、
前記懸架装置は、前記監視装置（４）が前記懸架装置によって懸架されたときに、前記フック部材（２０、５０、６０、７０）が前記監視装置（４）の重量を支え、これによって荷重を前記弾性部材（３０）まで伝達して、前記懸架装置の前記開放状態に向かって移動するように構成されており、
前記懸架装置は、前記監視装置（４）の重量の荷重が、前記フック部材（２０、５０、６０、７０）から解放されたときに、前記弾性部材（３０）が、前記懸架装置の前記閉鎖状態に向かって、前記フック部材（２０、５０、６０、７０）を移動させるように構成されており、
前記フック部材（２０、５０、６０、７０）には、前記懸架要素（４３）を受容および収容するように配置されたスロット（２３、５３、６３）が設けられており、
嵌合部分（２３ｂ、５３ｂ、６３ｂ）内に収容された懸架要素（４３）が入口部分を通って脱出するのを前記閉塞部材（２２、５２、６２）が防止するように、前記閉塞部材（２２、５２、６２）は、前記フック部材（２０、５０、６０）の外表面に沿って、これと隣接して延在し、前記フック部材（２０、５０、６０）の前記スロット（２３、５３、６３）の片側に横方向に延在する長尺部分を備える、補助懸架装置。
【請求項２】
前記スロット（２３、５３、６３）は、前記フック部材（２０、５０、６０、７０）の外側から前記懸架要素（４３）を受容するために配置された入口部分（２３ａ、５３ａ、６３ａ）と、前記懸架要素（４３）を収容するために配置された嵌合部分（２３ｂ、５３ｂ、６３ｂ）と、を備え、
前記スロット（２３、５３、６３）は、前記監視装置（４）が前記懸架装置によって懸架されたときに、前記懸架要素（４３）が前記入口部分（２３ａ、５３ａ、６３ａ）から離れて、前記スロットの前記嵌合部分（２３ｂ、５３ｂ、６３ｂ）に押し込まれるように配置されている、請求項１に記載の補助懸架装置。
【請求項３】
前記スロット（６３）は付加部分（６３ｃ）を備えており、
前記懸架装置は、前記監視装置（４）の重量が前記フック部材（６０）から解放されたときに、前記嵌合部分（６３ｂ）から前記付加部分（６３ｃ）または前記入口部分（６３ａ）に前記懸架要素（４３）が進入できるように配置されている、請求項２に記載の補助懸架装置。
【請求項４】
前記閉塞部材（２２、５２、６２）は、前記スロット（２３、５３、６３）の反対側に配置された、対応する長尺部分を備える、請求項１から３のいずれか一項に記載の補助懸架装置。
【請求項５】
前記フック部材（２０、５０、６０、７０）を受容するための貫通孔（３３、５４、７４）が設けられた基礎部材（２１、５１、６１、７１）をさらに備え、
前記フック部材（２０、５０、６０、７０）には、前記貫通孔（３３、５４、７４）を通って前記フック部材（２０、５０、６０、７０）の通過を防止するように配置された基部（３１）が設けられており、
前記弾性部材（３０）は前記基部（３１）と前記基礎部材（２１、５１、６１、７１）との間に配置されている、請求項１から４のいずれか一項に記載の補助懸架装置。
【請求項６】
前記閉塞部材（２２、５２、６２、７２）は前記基礎部材（２１、５１、６１、７１）の一部を形成する、請求項５に記載の補助懸架装置。
【請求項７】
前記フック部材（２０）の前記外表面には係合通路（４４）が設けられており、
前記懸架装置は、当該係合通路（４４）が係合要素の受容を可能にするために前記開放状態で露出するように、および前記係合通路（４４）が前記閉鎖状態で前記基礎部材（２１）によって被覆されるように構成されており、これによって前記懸架装置は、前記係合要素が前記係合通路（４４）内に配置されたときに前記閉鎖状態となるのが妨げられる、請求項５または６に記載の補助懸架装置。
【請求項８】
前記係合通路は前記フック部材（２０）の移動方向に対して横方向に延在し、
前記係合通路（４４）はピンの形状の係合要素を受容するために配置されている、請求項７に記載の補助懸架装置。
【請求項９】
前記基礎部材（２１）に取り付けられた弾性係合要素（８１）をさらに備え、
前記フック部材（２０）には係合ノッチ（８２）が設けられており、
前記懸架装置は、当該懸架装置が前記開放状態で配置されたときに、前記係合要素（８１）が前記係合ノッチ（８２）内に挿入可能となるように構成されており、これによって前記懸架装置は、前記係合要素が前記係合通路内に配置されたときに前記閉鎖状態となるのが妨げられる、請求項５または６に記載の補助懸架装置。
【請求項１０】
前記フック部材（２０）の外側面には高摩擦部分（４５）が設けられており、
前記懸架装置は、当該高摩擦部分（４５）が前記懸架装置の前記開放状態で露出されるように構成されている、請求項１から９のいずれか一項に記載の補助懸架装置。
【請求項１１】
前記スロット（５３）は前記懸架要素の通路を形成し、
当該通路は、前記フック部材（５０）の１つの側面と当該フック部材（５０）の中心軸との間に延在し、
前記閉塞部材（５２）は、ワイヤが前記スロット（５３）を通過するのを当該閉塞部材（５２）が防止するように、前記懸架装置の前記閉鎖状態において、前記スロット（５３）の前記通路に対して横方向に配置されており、
前記閉塞部材（５２）は、前記通路のどちら側が前記閉塞部材（５２）に隣接して配置されているかにかかわらず、前記スロット（５３）の前記通路に対して横方向に配置されるように位置決めされる、請求項１に記載の補助懸架装置。
【請求項１２】
前記フック部材（７０）には、各々が前記懸架要素を受容および収容するために配置された、１対のスロット（７３’、７３”）が設けられており、
前記スロット（７３’、７３”）は、前記フック部材（７０）の側面の両側に位置する入口部分を備え、
前記閉塞部材（７２）は２つの閉塞部分（７２ａ、７２ｂ）を備え、
前記閉塞部分（７２ａ、７２ｂ）は、前記スロット（７３’、７３”）のいずれかを、前記懸架要素が通過するのを防止するために配置されており、これによって前記フック部材（７０）からの前記懸架要素の離脱が防止される、請求項１に記載の補助懸架装置。
【請求項１３】
請求項１から１２のいずれか一項に記載の補助懸架装置を備える、懸架されるように配置されている監視装置。
【請求項１４】
懸架装置を備える、懸架されるように配置された監視装置であって、当該懸架装置は、
フック部材と、
閉塞部材と、
弾性部材と、を備え、
前記懸架装置は、前記フック部材が、監視装置を懸架するための懸架要素との嵌合を可能にするように配置されている開放状態と、前記閉塞部材が、前記フック部材からの前記懸架要素の離脱を防止するように配置されている閉鎖状態と、を取るように構成されており、
前記開放状態および前記閉鎖状態は、前記フック部材が、前記閉塞部材に対して移動可能であることによって可能とされ、
前記弾性部材は、前記閉鎖状態に向かって前記懸架装置を付勢するために配置されており、
前記懸架装置は、前記監視装置が前記懸架装置によって懸架されたときに、前記フック部材が前記監視装置の重量を支え、これによって荷重を前記弾性部材まで伝達して、前記懸架装置の前記開放状態に向かって移動するように構成されており、
前記懸架装置は、前記監視装置の重量の荷重が、前記フック部材から解放されたときに、前記弾性部材が、前記懸架装置の前記閉鎖状態に向かって、前記フック部材を移動させるように構成されており、
前記フック部材には、前記懸架要素を受容および収容するように配置されたスロットが設けられており、
嵌合部分内に収容された懸架要素が入口部分を通って脱出するのを前記閉塞部材が防止するように、前記閉塞部材は、前記フック部材の外表面に沿って、これと隣接して延在し、前記フック部材の前記スロットの片側に横方向に延在する長尺部分を備える、監視装置。